(57)【要約】【課題】粉砕粒の大きさ及び吐出量に関しバラツキが発生しにくいミル容器を提供する。【解決手段】第２グラインダー２０Ｕが取り付けられた回転体４０の天板部４２を、中心軸方向に沿って所定範囲内の振れ幅で変位することが出来るように円筒側壁部４１に対し波板構造体４３によって連結する。なお、固定刃２０Ｌａと可動刃２０Ｕａとの隙間を０.０mm〜０.１mmの範囲に設定する。【選択図】図２
2014108192.tif 000002
【特許請求の範囲】
【請求項１】
内容物を収容する有底の容器本体（１０）と、該容器本体の口部に取り付けられ内周面周方向に沿って固定刃（２０Ｌａ）が形成された第１グラインダ（２０Ｌ）と、前記固定刃（２０Ｌａ）に対向する形態で中心軸方向回りを回転可能に可動刃（２０Ｕａ）が形成された第２グラインダー（２０Ｕ）とを備えたミル容器であって、
前記第２グラインダー（２０Ｕ）は中心軸方向に沿って所定範囲内の振れ幅で変位することが出来るように構成されていることを特徴とするミル容器。
【請求項２】
前記第１グラインダー（２０Ｌ）は両端開口円筒状のアダプターキャップ（３０）を介して前記容器本体（１０）の口部（１１）に取り付けられると共に、前記第２グラインダー（２０Ｕ）は前記アダプターキャップ（３０）を覆う一端開口円筒状の回転体（４０）の天板部（４２）に取り付けられている請求項１記載のミル容器。
【請求項３】
前記天板部（４２）は波板構造体（４３）によって前記回転体（４０）の周縁部に連結されている請求項２記載のミル容器。
【請求項４】
前記回転体（４０）には吐出口を有する作動規制用カバー（５０）が昇降可能に設けられている請求項２又は３記載のミル容器。
【請求項５】
前記第１グラインダー（２０Ｌ）の上端部には周リブ（２０Ｌｃ）が設けられている請求項１又は２記載のミル容器。
【請求項６】
前記固定刃（２０Ｌａ）と前記可動刃（２０Ｕａ）との隙間は０.０mm〜０.１mmの範囲に設定されている請求項１記載のミル容器。
【発明の詳細な説明】
【技術分野】
【０００１】
本発明は、ミル容器、特に粉砕粒の大きさ及び吐出量に関しバラツキが発生しにくいミル容器に関するものである。
【背景技術】
【０００２】
ゴマ、胡椒等の粒状の堅い植物実を粉砕し、より細かい粒にするハンディタイプのミル容器が広く利用されている。
このようなミル容器として、上端を開口した有底筒状をなすとともに、周壁11内周上端部に係止凹部12を凹設した容器体Ａと、外面に突設した係合突部23を係止凹部12に嵌合させて容器体Ａ内上端部に筒状基体20を嵌合させるとともに、筒状基体20内周面に固定刃24を突設した合成樹脂製の固定刃部材Ｂと、容器体Ａの外周上端部に抜け出しを防止して回転可能に嵌合させた操作筒30より、周縁部に排出口32を穿設した回転刃33付きの蓋板31を延設した合成樹脂製の蓋体Ｃとを備え、容器体Ａに対する蓋体Ｃの回転により固定刃24と回転刃33とで収容物を粉砕するミル（グラインダー）機構を構成したミル容器が知られている（例えば、特許文献１を参照。）。
また、使用する際は、ユーザーがミル容器を倒立させ容器体Ａに対して蓋体Ｃを回転させることにより、固定刃24と回転刃33との間に内容物が引き込まれ粉砕されるように構成されている。
【先行技術文献】
【特許文献】
【０００３】
【特許文献１】特開２０１１−２４５１４６号公報
【発明の概要】
【発明が解決しようとする課題】
【０００４】
従来のミル容器では、内容物に応じてグラインダー間の隙間が設定されている。しかし、グラインダーの成形バラツキ等により、グラインダー間の隙間はばらつき、その結果、粉砕粒の大きさ及び吐出量に関しバラツキが発生しやすいという問題がある。
そこで、本発明は、上記従来技術の課題に鑑みなされたものであって、粉砕粒の大きさ及び吐出量に関しバラツキが発生しにくいミル容器を提供することを目的とする。
【課題を解決するための手段】
【０００５】
上記技術的課題を解決するための本発明に係る第１手段は、内容物を収容する有底の容器本体と、該容器本体の口部に取り付けられ内周面周方向に沿って固定刃が形成された第１グラインダーと、前記固定刃に対向する形態で中心軸回りを回転可能に可動刃が形成された第２グラインダーとを備えたミル容器であって、
前記第２グラインダーは中心軸方向に沿って所定範囲内の振れ幅で変位することが出来るように構成されていることを特徴とする。
【０００６】
上記構成では、第２グラインダーが第１グラインダーに対し中心軸方向に沿って所定範囲内の振れ幅で変位可能に構成されている。これにより、グラインダー間（両刃間）の隙間が所定値よりも大きく成形されている場合でも（内容物の粒径がグラインダー間の隙間より小さい場合でも）、第２グラインダーが下方に変位し、グラインダー間の隙間が狭まることにより、内容物をグラインダー間に引き込み均一に粉砕することが可能となる。他方、グラインダー間（両刃間）の隙間が所定値よりも小さく成形されている場合でも（内容物の粒径がグラインダー間の隙間より大きい場合でも）、第２グラインダーが上方に変位し、グラインダー間の隙間が拡がることにより、内容物をグラインダー間に引き込み粉砕することが可能となる。
また、第２グラインダーの振れ幅（変位量）はある一定範囲に規制されるように構成されているため、粉砕粒の吐出量についてもある一定範囲に規制されるようになる。
更に、第２グラインダーは回転動作に加えて中心軸方向にも変位するため、内容物をより細かく粉砕することが可能となる。
このように、本発明に係る上記構成では、グラインダーの成形バラツキ等が粉砕粒の大きさ及び吐出量の各バラツキに与える影響を好適に打ち消し、粉砕粒の大きさ及び吐出量が均一になる。
【０００７】
本発明に係る第２手段は、前記第１グラインダーは両端開口円筒状のアダプターキャップを介して前記容器本体の口部に取り付けられると共に、前記第２グラインダーは前記アダプターキャップを覆う一端開口円筒状の回転体の天板部に取り付けられる、ことにある。
【０００８】
上記構成では、可動刃が固定刃に対向する形態で第２グラインダーを第１グラインダーに対し回転可能に取り付けることが可能となる。
【０００９】
本発明に係る第３手段は、前記天板部は波板構造体によって前記回転体の周縁部に連結されている、ことにある。
【００１０】
上記構成では、天板部に取り付けられる第２グラインダーを好適に中心軸方向に沿って変位させることが可能となる。
【００１１】
本発明に係る第４手段は、前記回転体には吐出口を有する作動規制用カバーが昇降可能に設けられている、ことにある。
【００１２】
上記構成では、第２グラインダーの上方（吐出方向）に対する最大変位量を好適に規制することが可能となる。
【００１３】
本発明に係る第５手段は、前記第１グラインダーの上端部には周リブが設けられている、ことにある。
【００１４】
上記構成では、第２グラインダーの下方（容器本体側）に対する最大変位量を好適に規制することが可能となる。
【００１５】
本発明に係る第６手段は、前記固定刃と前記可動刃との隙間は０.０mm〜０.１mmの範囲に設定されている、ことにある。
【００１６】
上記構成では、吐出量を確保しながら粉砕粒の大きさを均一にすることが可能となる。
【発明の効果】
【００１７】
本発明のミル容器によれば、可動刃を持つ第２グラインダーが、固定刃を持つ第１グラインダーに対し所定範囲内の振れ幅で変位することが出来るように構成されている。そのため、グラインダーの成形バラツキ等が粉砕粒の大きさ及び吐出量の各バラツキに与える影響を好適に打ち消し、粉砕粒の吐出量を所定の範囲に確保しながら粉砕粒の大きさを所定の範囲に抑えることが可能となる。
【図面の簡単な説明】
【００１８】
【図１】本発明のミル容器を示す要部断面説明図である。
【図２】本発明に係る回転体を示す説明図である。
【図３】本発明に係る作動規制用カバーの動作を示す説明図である。
【図４】本発明のミル容器の動作を示す説明図である。
【図５】本発明に係る波板構造体の動作を示す説明図である。
【発明を実施するための形態】
【００１９】
以下、図に示す実施の形態により本発明をさらに詳細に説明する。
【００２０】
図１は、本発明のミル容器の１００を示す要部断面説明図である。
このミル容器１００は、内容物を収容する容器本体１０と、内容物を粉砕する第１グラインダー２０Ｌ及び第２グラインダー２０Ｕと、第１グラインダー２０Ｌを容器本体１０の口部１１へ取り付けるためのアダプターキャップ３０と、第１グラインダー２０Ｕを第１グラインダー２０Ｌに対向する形態で回転させるための回転体４０と、第２グラインダー２０Ｕの上方向の最大変位量を規制するための作動規制用カバー５０と、回転体４０および作動規制用カバー５０の各吐出口を封止するオーバーキャップ６０とを具備して構成されている。なお、第２グラインダー２０Ｕの下方向の最大変位量は、第１グラインダー２０Ｌの上部に設けられた周リブ２０Ｌｃによって規制される。また、回転体４０については、図２を参照しながら後述する。
【００２１】
容器本体１０は、例えば透明な合成樹脂製容器、金属製容器又はガラス製容器である。
【００２２】
第１グラインダー２０Ｌは、内周面周方向に沿って鋸歯状刃（例えばのこぎり刃または三角刃）が固定刃２０Ｌａとして形成されている。一方、第２グラインダー２０Ｕの下半部分は、内容物をグラインダー間に引き込むスクリュー機構を構成し、上半部分は固定刃２０Ｌａと対向する形態で可動刃２０Ｕａを構成している。従って、第２グラインダー２０Ｕが第１グラインダー２０Ｌに対し相対回転すると、内容物がグラインダー間に引き込まれ、可動刃２０Ｕａと固定刃２０Ｌａによって粉砕されるように構成されている。なお、第２グラインダー２０Ｕと第１グラインダー２０Ｌの各刃の形態は本実施形態に限定されるものではなく、第２グラインダー２０Ｕが第１グラインダー２０Ｌに対し相対回転することにより、内容物がグラインダー間に引き込まれ、可動刃２０Ｕａと固定刃２０Ｌａによって粉砕される構成であれば良い。
【００２３】
アダプターキャップ３０はフランジ部３１によって二分され、フランジ部３１の上方には上円筒側壁３２が設けられ、フランジ部３１の下方には下内円筒側壁３３および下外円筒側壁３４が設けられている。
【００２４】
フランジ部３１は、その上面で第１グラインダー２０Ｌを受けると共に、その下面で容器本体１０の口部１１上端に接合している。
【００２５】
上円筒側壁３２の内周面には、第１グラインダー２０Ｌの切り欠き部２０Ｌｂに嵌合するための縦リブ３２ａが等間隔に周設されている。縦リブ３２ａの下方には、径方向内側に張り出した突起３２ａａが形成されている。従って、各縦リブ３２ａが第１グラインダー２０Ｌの外周面に周設された切り欠き部２０Ｌｂに嵌合し回転方向の動きを規制し、さらに縦リブ３２ａと切り欠き部２０Ｌｂに締め代を持たす事で、第１グラインダー２０Ｌはアダプターキャップ３０に固定される。
【００２６】
上円筒側壁３２の外周面には、周凸部３２ｂが形成され、回転体４０の円筒側壁部４１の周凹部４１ｃ（図２(b)）に嵌合する。
【００２７】
下内円筒側壁３３の内周面には、雌ねじ部３３ａが形成され、容器本体１０の口部１１に形成された雄ねじ部１１ａにねじ嵌合する。
【００２８】
下外円筒側壁３４の中間高さ位置には、回転体４０の下端を受ける段部３４ａが形成されている。
【００２９】
作動規制用カバー５０は、回転体４０にねじ嵌合し、ねじを締緩することにより、裏面と回転部４０の天板部４２（図２）との隙間（クリアランス）を調整する。また、図示されてはいないが、作動規制用カバー５０の天板部には、吐出口が設けられ、吐出口の開口面積Ｓ50は、回転体４０の吐出口の開口面積Ｓ40より同じか或いは小さくなるように設定されている。従って、回転体４０の吐出口を吐出した粉砕粉は作動規制用カバー５０によって一度吐出量が規制されることになる。従って、作動規制用カバー５０から吐出される粉砕粉の最終的な吐出量は、回転体４０の吐出口と作動規制用カバー５０の吐出口との重複度によって決定されることになる。
【００３０】
オーバーキャップ６０は、回転体４０に凹凸嵌合し、回転体４０および作動規制用カバー５０の各吐出口を封止し空気による内容物の劣化を防止する。
【００３１】
図２は、本発明に係る回転体４０を示す説明図である。図２(a)は上面図であり、同(b)は同(a)のＡ−Ａ断面図である。なお、説明の都合上、図２(b)には第２グラインダー２０Ｕも重ねて表示されている。
回転体４０は、円筒側壁部４１、天板部４２及びこれらを連結する波板構造体４３とから構成されている。
【００３２】
図２(b)に示すように、円筒側壁部４１はその外周面が２段に構成され、作動規制用カバー５０とねじ嵌合するための雄ねじ部４１ａ、並びにオーバーキャップ６０と凹凸嵌合するための周リブ４１ｂがそれぞれ形成されている。他方、円筒側壁部４１の内周面には、アダプターキャップ３０と凹凸嵌合するための周凹部４１ｃが形成されている。
【００３３】
天板部４２の裏面には、中空円筒部４２ａが起立して設けられ、その下方外周面には第２グラインダー２０Ｕの周凸部２０Ｕｂに嵌合する周凹部４２ａａが形成され、周凹部４２ａａから上方の外周面には切り欠き部４２ａｂが形成され、さらに天板部４２の裏面の、中空円筒部４２ａの外側には周リブ４２ｂが形成されている。従って、第２グラインダー２０Ｕは、周凹部４２ａａによって上下方向の移動を拘束され、また切り欠き部４２ａｂによって中空円筒部４２ａ回りの回動を拘束され、更に周リブ４２ｂによって水平方向の移動を拘束され、天板部４２と一体に組み付けられている。従って、第２グラインダー２０Ｕは天板部４２と一体に変位する。
【００３４】
波板構造体４３は円筒側壁部４１と天板部４２を連結する構造体である。波板構造体４３は波板構造（例えば、蛇腹構造）であるため、ある程度の柔軟性を持っている。その結果、天板部４２および第２グラインダー２０Ｕは波板構造体４３の弾性効果によって上下方向に適度に変位することが出来る。グラインダー間の隙間は、０.０mm〜０.１mmと小さく設定する事で内容物の小さい粒径に対応し、内容物をグラインダー間に引き込み粉砕することが可能となる。他方、内容物の粒径がグラインダー間の隙間より大きい場合でも、第２グラインダー２０Ｕが上方に変位し、グラインダー間の隙間が拡がることにより、内容物をグラインダー間に引き込み粉砕することが可能となる。このように回転体４０の上部が蛇腹構造を成しており、回転体４０を作動させることで内容物がグラインダー上下間に入り込み、波板構造体４３の弾性効果によって可動刃２０Ｕａが固定刃２０Ｌａに対し適度に動いて粉砕することが出来る。その際、後述するように、回転体４０の上方に作動規制用カバー５０を設けることで、第２グラインダー２０Ｕ（可動刃２０Ｕａ）の変位量を規制して、粉砕粒の大きさ及び吐出量を規制する。
【００３５】
図３は、本発明に係る作動規制用カバー５０の動作を示す説明図である。
作動規制用カバー５０の裏面と天板部４２の天板表面との隙間（クリアランス）が、天板部４２および第２グラインダー２０Ｕ（可動刃２０Ｕａ）の最大変位量となる。
図３(a)に示すように、作動規制用カバー５０が回転体４０に対し時計方向に回転する場合、作動規制用カバー５０が下降してクリアランスＣ１は狭くなり、可動刃２０Ｕａの最大変位量は小さくなる。他方、図３(b)に示すように、作動規制用カバー５０が回転体４０に対し反時計方向に回転する場合、作動規制用カバー５０が上昇してクリアランスＣ２は広くなり、可動刃２０Ｕａの最大変位量は大きくなる。
【００３６】
図４及び５は、本発明のミル容器１００の動作を示す説明図である。なお、図５は図４のＡ部を中心軸ＣＬの回りに９０°回転させた状態を示している。
例えば、容器本体１０を把持して回転体４０を回転させることにより、第２グラインダー２０Ｕのスクリュー作用により内容物がグラインダー間に引き込まれ、第２グラインダー２０Ｕの可動刃２０Ｕａと第１グラインダー２０Ｌの固定刃２０Ｌａによって粉砕される。なお、内容物が粉砕される際、図５に示すように、波板構造体４３の弾性作用によって第２グラインダー２０Ｕが上下方向（軸方向）に沿って変位している。
【００３７】
図５(a)は、第２グラインダー２０Ｕが上方向に最大変位した状態を表している。回転体４０の天板部４２が作動規制用カバー５０の裏面に当たり、第２グラインダー２０Ｕの作動を規制している。他方、図５（ｂ）は第２グラインダー２０Ｕが下方向に最大変位した状態を表している。波板構造体４３が第１グラインダー２０Ｌの上方に形成された周リブ２０Ｌｃに当たり、第２グラインダー２０Ｕの作動を規制している。
【００３８】
以上の通り、本発明のミル容器によれば、可動刃２０Ｕａを持つ第２グラインダー２０Ｕが、固定刃２０Ｌａを持つ第１グラインダー２０Ｌに対し所定範囲内の振れ幅で変位することが出来るように構成されている。そのため、グラインダーの成形バラツキが粉砕粒の大きさ及び吐出量の各バラツキに与える影響を好適に打ち消し、粉砕粒の吐出量を所定の範囲に確保しながら粉砕粒の大きさを所定の範囲に抑えることが可能となる。
【産業上の利用可能性】
【００３９】
本発明のミル容器は、ゴマ、胡椒等の粒状の堅い植物実を粉砕する容器に対し好適に適用される。
【符号の説明】
【００４０】
１０            容器本体
１１            口部
１１ａ          雄ねじ部
２０Ｌ          第１グラインダー
２０Ｌａ        固定刃
２０Ｌｂ        切り欠き部
２０Ｌｃ        周リブ
２０Ｕ          第２グラインダー
２０Ｕａ        可動刃
２０Ｕｂ        周凸部
３０            アダプターキャップ
３１            フランジ部
３２            上円筒側壁
３２ａ          縦リブ
３２ｂ          周凸部
３３            下内円筒側壁
３３ａ          雌ねじ部
３４            下外円筒側壁
３４ａ          段部
４０            回転体
４１            円筒側壁部
４１ａ          雄ねじ部
４１ｂ          周リブ
４１ｃ          周凹部
４２            天板部
４２ａ          中空円筒部
４２ａａ        周凹部
４２ａｂ        切り欠き部
４２ｂ          周リブ
４３            波板構造体
５０            作動規制用カバー
６０            オーバーキャップ
１００          ミル容器
【図１】
2014108192.tif 000003
【図２】
2014108192.tif 000004
【図３】
2014108192.tif 000005
【図４】
2014108192.tif 000006
【図５】
2014108192.tif 000007